(57)【特許請求の範囲】
【請求項１】
高分子溶液から形成された１次高分子スポンジを架橋液中で架橋して形成された２次高分子スポンジを洗浄して架橋液を除去する高分子スポンジ洗浄装置であり、
複数の孔を有し外周枠を有し、前記１次高分子スポンジを入れて前記架橋液中に浸漬し前記２次高分子スポンジを形成する構成である函体と、
形成した前記２次高分子スポンジが入った前記函体を載置する載置板と、
洗浄液を前記函体内で流動させる洗浄手段と、
を備えた高分子スポンジ洗浄装置。
【請求項２】
前記函体内に洗浄液が順次供給されるとともに、該供給された洗浄液が順次排出される請求項１に記載する高分子スポンジ洗浄装置。
【請求項３】
排出された洗浄液を再生する再生手段と、再生した洗浄液を前記函体内へ返還する返還手段とを備えた請求項２に記載する高分子スポンジ洗浄装置。
【請求項４】
前記函体内の洗浄液の温度を管理する温度管理手段を備えた請求項１〜請求項３のいずれかに記載する高分子スポンジ洗浄装置。
【請求項５】
前記温度管理手段は、洗浄液の温度を管理するチラーである請求項４に記載する高分子スポンジ洗浄装置。
【請求項６】
前記洗浄手段が、前記載置板と平行に延び、前記洗浄液が噴出する噴出孔を複数個設けたパイプを、該載置板の上方に備えて構成された請求項１〜請求項５のいずれかに記載する高分子スポンジ洗浄装置。
【請求項７】
前記パイプの長手方向に対する断面において、斜め下方に前記洗浄液を噴出する左右１対の前記噴出孔を、左右対称に設けた請求項６に記載する高分子スポンジ洗浄装置。
【請求項８】
前記パイプが、前記函体に入れた２次高分子スポンジの中心線の上部において該中心線と平行に延びる請求項６又は請求項７に記載する高分子スポンジ洗浄装置。
【請求項９】
高分子溶液から形成された１次高分子スポンジを架橋液中で架橋して形成された２次高分子スポンジを洗浄して架橋液を除去する高分子スポンジ洗浄方法であり、
前記２次高分子スポンジを、複数の孔を有し外周枠を有する函体に入れるステップと、
前記２次高分子スポンジを前記函体に入れた状態で載置板上に載置するステップと、
洗浄手段により、洗浄液を前記函体内で流動させるステップと、
を含み、
前記函体に１次高分子スポンジを入れて該函体を架橋液中に浸漬して２次高分子スポンジを形成し、該函体を、形成した該２次高分子スポンジが入った状態で載置板に載置する高分子スポンジ洗浄方法。
【請求項１０】
前記洗浄手段が、前記載置板と平行に延び、前記洗浄液が噴出する噴出孔を複数個設けたパイプを、該載置板の上方に備えて構成され、該パイプの長手方向に対する断面において、左右対称に設けられた左右１対の噴出孔から斜め下方に該洗浄液を噴出する請求項９に記載する高分子スポンジ洗浄方法。
【発明の詳細な説明】
【技術分野】
【０００１】
本発明は、人工真皮の製造過程において、１次高分子スポンジを架橋液中で架橋して形成された２次高分子スポンジを洗浄して架橋液を除去する高分子スポンジ洗浄装置、及び高分子スポンジ洗浄方法に関する。
【背景技術】
【０００２】
従来から、全層皮膚欠損創の治療には、コラーゲンスポンジ（天然高分子スポンジ）にシリコンを積層した板状の人工真皮が使用されることがある。この場合、人工真皮を創に貼り付け、人体で生成される線維芽細胞、及び毛細血管をコラーゲンスポンジの空隙に導き成長させることにより真皮層を再生することができる。
【０００３】
このコラーゲンスポンジの製造装置及び製造方法に関して出願が行われている（例えば、特許文献１〜６参照。）。例えば、特許文献６には、コラーゲン溶液（天然高分子溶液）を原料とし、コラーゲン希釈液を形成し、コラーゲン希釈液を型枠に流し込んで型枠を冷却してコラーゲン発泡液を凍結し、凍結乾燥及び加熱乾燥を行って１次コラーゲンスポンジを形成し、この１次コラーゲンスポンジ（１次天然高分子スポンジ）について、グルタルアルデヒド／酢酸溶液（架橋液）中で架橋して２次コラーゲンスポンジ（２次天然高分子スポンジ）を形成し、この２次コラーゲンスポンジを洗浄して架橋液を除去した後、凍結乾燥して最終的コラーゲンスポンジを形成する旨について記載されている。この最終的コラーゲンスポンジにシリコン膜を積層することにより、人工皮膚が製造される。また、特許文献５には、市販のコラーゲンを希塩酸でＰＨを調整し、ホモジナイザーで高速撹拌することによって発泡させて容器に流し込み凍結させ、更に真空凍結乾燥し、熱脱水架橋を導入して１次コラーゲンスポンジを形成し、この１次コラーゲンスポンジをシリコン膜に貼付し乾燥させて得られた２層性材料を架橋液に浸漬して化学架橋を導入して２次コラーゲンスポンジを形成し、この２次コラーゲンスポンジを洗浄して架橋液を除去した後、急速凍結させ、更に真空凍結乾燥して最終的コラーゲンスポンジを含む二層性材料を形成する旨について記載されている。この二層性材料に穴をあけて人工真皮が製造される。
【０００４】
ここで、２次コラーゲンスポンジの洗浄は、通常、２次コラーゲンスポンジを容器に入れて手で保持し、イオン交換水（洗浄液）中に浸漬して上下又は左右に揺動することにより行われていた。このため、イオン交換水の圧力によって２次コラーゲンスポンジの外形が変形することがあった。また、２次コラーゲンスポンジの空隙（ポア）が潰れることがあり、人工真皮として使用しても、人体で生成される線維芽細胞、及び毛細血管をコラーゲンスポンジの空隙に導き成長させることにより真皮層を再生できないことがあった。また、洗浄液中での揺動により、２次コラーゲンスポンジが破砕することがあった。これにより、人工真皮を製造できないことがあった。また、２次コラーゲンスポンジを容器に入れて手で保持し、揺動するのは、手の疲労を伴う作業であり、洗浄効果に個人差があった。また、２次コラーゲンスポンジの洗浄効果をより高める必要もある。
【先行技術文献】
【特許文献】
【０００５】
【特許文献１】特開平０３−２２４５７３号公報
【特許文献２】特開平０４−１０８４４４号公報
【特許文献３】特開平０５−４３７３４号公報
【特許文献４】特開平０７−１９４６８７号公報
【特許文献５】特開平１０−８０４３８号公報
【特許文献６】特開２００５−３１４号公報
【発明の概要】
【発明が解決しようとする課題】
【０００６】
本発明は、上記の実情に鑑みて為されたものであり、２次コラーゲンスポンジの外形が変形することがなく、２次コラーゲンスポンジの空隙が潰れることがなく、２次コラーゲンスポンジ自体が破砕することがなく、手の疲労を伴わずに洗浄効果に個人差がなく、洗浄効果をより高めることのできる高分子スポンジ洗浄装置、及び高分子スポンジ洗浄方法を提供することを目的とする。
【課題を解決するための手段】
【０００７】
本発明の高分子スポンジ洗浄装置は、高分子溶液から形成された１次高分子スポンジを架橋液中で架橋して形成された２次高分子スポンジを洗浄して架橋液を除去する高分子スポンジ洗浄装置であり、
洗浄液を前記函体内で流動させる洗浄手段と、
複数の孔を有し外周枠を有し、前記１次高分子スポンジを入れて前記架橋液中に浸漬し前記２次高分子スポンジを形成する構成である函体と、
形成した前記２次高分子スポンジが入った前記函体を載置する載置板と、
を備えたことを特徴とする。
【０００８】
洗浄手段とは、洗浄液を噴出する噴出手段、又は洗浄液を函体内で流動させるポンプ若しくはエア噴射手段等をいう。
【０００９】
本発明の高分子スポンジ洗浄装置は、前記高分子スポンジ洗浄装置において、前記函体内に洗浄液が順次供給されるとともに、該供給された洗浄液が順次排出されることを特徴とする。
【００１０】
本発明の高分子スポンジ洗浄装置は、前記高分子スポンジ洗浄装置において、排出された洗浄液を再生する再生手段と、再生した洗浄液を前記函体内へ返還する返還手段とを備えたことを特徴とする。
【００１１】
本発明の高分子スポンジ洗浄装置は、前記高分子スポンジ洗浄装置において、前記函体内の洗浄液の温度を管理する温度管理手段を備えたことを特徴とする。
【００１２】
本発明の高分子スポンジ洗浄装置は、前記高分子スポンジ洗浄装置において、前記温度管理手段は、洗浄液の温度を管理するチラーであることを特徴とする。チラーとは、主として冷却を目的として、流体を流して温度を管理する手段を言う。
【００１３】
本発明の高分子スポンジ洗浄装置は、前記高分子スポンジ洗浄装置において、前記洗浄手段が、前記載置板と平行に延び、前記洗浄液が噴出する噴出孔を複数個設けたパイプを、該載置板の上方に備えて構成されたことを特徴とする。
【００１４】
本発明の高分子スポンジ洗浄装置は、前記高分子スポンジ洗浄装置において、前記パイプの長手方向に対する断面において、斜め下方に前記洗浄液を噴出する左右１対の前記噴出孔を、左右対称に設けたことを特徴とする。
【００１５】
本発明の高分子スポンジ洗浄装置は、前記高分子スポンジ洗浄装置において、前記パイプが、前記函体に入れた２次高分子スポンジの中心線の上部において該中心線と平行に延びることを特徴とする。
【００１６】
本発明の高分子スポンジ洗浄方法は、高分子溶液から形成された１次高分子スポンジを架橋液中で架橋して形成された２次高分子スポンジを洗浄して架橋液を除去する高分子スポンジ洗浄方法であり、
前記２次高分子スポンジを、複数の孔を有し外周枠を有する函体に入れるステップと、
前記２次高分子スポンジを前記函体に入れた状態で載置板上に載置するステップと、
洗浄手段により、洗浄液を前記函体内で流動させるステップと、
を含み、
前記函体に１次高分子スポンジを入れて該函体を架橋液中に浸漬して２次高分子スポンジを形成し、該函体を、形成した該２次高分子スポンジが入った状態で載置板に載置することを特徴とする。
【００１７】
本発明の高分子スポンジ洗浄方法は、前記高分子スポンジ洗浄方法において、前記洗浄手段が、前記載置板と平行に延び、前記洗浄液が噴出する噴出孔を複数個設けたパイプを、該載置板の上方に備えて構成され、該パイプの長手方向に対する断面において、左右対称に設けられた左右１対の噴出孔から斜め下方に該洗浄液を噴出することを特徴とする。
【発明の効果】
【００１８】
本発明に係る高分子スポンジ洗浄装置、及び高分子スポンジ洗浄方法によれば、外周枠を有する函体に２次高分子スポンジを函体に入れた状態で載置板上に載置して洗浄を行うため、２次高分子スポンジの外形を維持しつつ洗浄を行うことができる。また、２次高分子スポンジを入れる函体は全体に複数の孔を有するため、２次高分子スポンジの側面に沿って流れ落ち、又は２次高分子スポンジを通過した洗浄液が複数の孔から函体の外部へ流出するため、洗浄液を円滑に流出させて、より洗浄効果を高めることができる。
【００１９】
また、本発明に係る高分子スポンジ洗浄装置、及び高分子スポンジ洗浄方法によれば、２次高分子スポンジの洗浄を、複数の孔を有する函体内に２次高分子スポンジを入れた状態で、洗浄手段により洗浄液を函体内で流動させて行うため、２次高分子スポンジを容器に入れて手で保持し洗浄液中で揺動する従来の洗浄方法と異なり、２次高分子スポンジの空隙が潰れることがなく、２次高分子スポンジ自体が破砕することもない。また、この従来の洗浄方法と異なり、手の疲労を伴わないとともに、洗浄効果に個人差が生じることもない。
【図面の簡単な説明】
【００２０】
【図１】本発明の高分子スポンジ洗浄装置の一実施形態を示す正面図である。
【図２】図１に示す高分子スポンジ洗浄装置の平面断面図である。
【図３】図１に示す高分子スポンジ洗浄装置に使用する函体の拡大平面図である。
【図４】図１に示す高分子スポンジ洗浄装置の作用を示す拡大正面断面図である。
【図５】本発明の高分子スポンジ洗浄装置の他の実施形態を示す拡大正面断面図である。
【図６】本発明の高分子スポンジ洗浄装置の更に他の実施形態を示す拡大正面断面図である。
【図７】本発明の高分子スポンジ洗浄装置の更に他の実施形態を示す構成図である。
【発明を実施するための形態】
【００２１】
次に、本発明の実施形態について、図面に基づいて詳細に説明する。図１及び図２において、符号１０は、本発明の高分子スポンジ洗浄装置である。
【００２２】
高分子スポンジ洗浄装置１０は、コラーゲン溶液（天然高分子溶液）から形成された１次コラーゲンスポンジ（１次天然高分子スポンジ）を架橋液中で架橋して形成された２次コラーゲンスポンジ（２次天然高分子スポンジ）１２を洗浄して架橋液を除去する装置であり、枠本体１１と、複数の孔３６を全体に有し長方形の外周枠２９を有する函体２８と、２次コラーゲンスポンジ１２を函体２８に入れた状態で載置する載置板１４と、載置板１４の上方に設けられ、イオン交換水（洗浄液）１６を噴出して載置板１４上の２次コラーゲンスポンジ１２上へ流しイオン交換水１６を函体２８内で流動させる洗浄手段１８と、を備えて構成されている。
【００２３】
枠本体１１は、基台２０と、基台２０から上へ延びる支柱２２及び２４と、洗浄手段１８を支持する水平方向のフレーム２６と、から構成されている。
【００２４】
載置板１４は、２次コラーゲンスポンジ１２を入れた函体２８を複数個載置できる上面３０と、上面３０から立設する側板３１と、イオン交換水１６が２次コラーゲンスポンジ１２を入れた函体２８を複数個載置して把持するための取っ手３２と、を有し、支柱２２及び２４に固定された係合部材３４に係合して支柱２２及び２４に支持されるように構成されている。また、載置板１４は、図２及び図４に示すように、イオン交換水１６が入り込んで流れる溝１５を、上面３０の外周及び中間部に備えている。側板３１の下部には、図４に示すように、イオン交換水１６を排出する孔１７が設けられている。枠本体１１は、この載置板１４を、上下３段に積んで６枚支持できる。函体２８は、図３及び図４に示すように、底板及び側板の全体に、イオン交換水２２が通過する複数の孔３６を有している。また、２次コラーゲンスポンジ１２の外形が洗浄によって変形するのを防止するための長方形の外周枠２９を有している。なお、函体２８は、本発明の高分子スポンジ洗浄装置１０によって２次コラーゲンスポンジ１２を洗浄するために準備されたものである。
【００２５】
洗浄手段１８は、載置板１４と平行に延び、イオン交換水１６が噴出する噴出孔３８を設けたパイプ４０を備え、パイプ４０の長手方向に対する断面において、斜め下方にイオン交換水２２を噴出する左右１対の噴出孔１８を、左右対称に複数対設けている。噴出孔１８の噴出方向は、例えば、鉛直方向に対して３０°、４５°又は６０°である。パイプ４０は、２次コラーゲンスポンジ１２を函体２８に入れた状態で載置板１４に載置した時に、函体２８の中心線Ｃの上部において中心線Ｃと平行に延びるように構成されている。
【００２６】
以下、このような本発明の高分子スポンジ洗浄装置１０の作用について説明することにより、本発明の高分子スポンジ洗浄方法について説明する。
【００２７】
まず、従来と同様に、コラーゲン溶液を原料としてコラーゲン希釈液を形成し、このコラーゲン希釈液を型枠に流し込んで冷却してコラーゲン発泡液を凍結し、凍結乾燥及び加熱乾燥を行って１次コラーゲンスポンジを形成し、この１次コラーゲンスポンジを函体２８に入れた状態で、グルタルアルデヒド／酢酸溶液（架橋液）中で架橋して２次コラーゲンスポンジ１２を形成する。
【００２８】
次に、図示しないテーブル上で、この２次コラーゲンスポンジ１２を、函体２８に入れた状態で、載置板１４上に載置する。図４に示すように、載置板１４上には空の函体２８が裏向けて載置され、その空の函体２８の上に２次コラーゲンスポンジ１２の入った函体２８が載置される。函体２８の載置板１４上への載置数量及び載置方向は、特に限定されないが、例えば図２に示すように、１枚の載置板１４上に、８個の函体２８を整列して配置すれば、この載置板１４を枠体１１に取り付けた時に、１本のパイプ４０が、函体２８の中心線Ｃの上部において中心線Ｃと平行に延びることとなる。すなわち、１本のパイプ４０が、１個の函体２８内に入れた１個の２次コラーゲンスポンジ１２の中心線Ｃの上部において中心線Ｃと平行に延びることとなる。このようにして２次コラーゲンスポンジ１２の入った函体２８を載置した載置板１４は、図１に示すように、係合部材３４に係合されて枠体１１に取り付けられる。
【００２９】
次に、図示しない配管からパイプ４０に送られたイオン交換水１６が、パイプ４０の孔３８から噴出される。噴出したイオン交換水１６は、図４に示すように、自然落下した後に２次コラーゲンスポンジ１２の上面に当たる。２次コラーゲンスポンジ１２の上面５０に当たったイオン交換水１６は、２次コラーゲンスポンジ１２に浸透するとともに、上面５０に沿って流れる。２次コラーゲンスポンジ１２に浸透したイオン交換水１６は２次コラーゲンスポンジ１２の下面から浸み出した後、２次コラーゲンスポンジ１２の入っている函体２８の孔３８を通り、裏向けて載置している函体２８の孔３８を通って載置板１４の上面に流れ、載置板１４の孔から載置板１４の外へ排出される。すなわち、函体２８内にイオン交換水１６が順次供給されるとともに、供給されたイオン交換水１６が順次排出される。このため、洗浄効果が高まり、架橋が進むのを防止できる。
【００３０】
一方、２次コラーゲンスポンジ１２の上面５０に当たって上面５０に沿って流れるイオン交換水１６は、２次コラーゲンスポンジ１２の側面５２に沿って流れ落ち、又は２次コラーゲンスポンジ１２を通過し、２次コラーゲンスポンジ１２の入った函体２８の孔３６を通り、孔１７から載置板１４の外へ排出される。２次コラーゲンスポンジ１２を入れた函体２８は全体に複数の孔３８を有するため、２次コラーゲンスポンジ１２の側面５２に沿って流れ落ち、又は２次コラーゲンスポンジ１２を通過したイオン交換水１６が複数の孔３８から函体２８の外部へ流出するため、イオン交換水１６を円滑に流出させて、より洗浄効果を高めることができる。この時、外周枠２９を有する函体２８に２次コラーゲンスポンジ１２を入れた状態で載置板１４上に載置して洗浄を行うため、２次コラーゲンスポンジ１２の外形を維持しつつ洗浄を行うことができる。
【００３１】
このようにして、洗浄手段１８がイオン交換水１６を噴出して載置板１４上の２次コラーゲンスポンジ１２上へ流すことにより、２次コラーゲンスポンジ１２は架橋液が除去されて洗浄されていく。本発明の高分子スポンジ洗浄装置１０による２次コラーゲンスポンジ１２の洗浄は、複数の孔３８を有する函体２８内に２次コラーゲンスポンジ１２を入れた状態で、洗浄手段１８によりイオン交換水１６を函体２８内で流動させて行うため、２次コラーゲンスポンジ１２を容器に入れて手で保持しイオン交換水中で揺動する従来の洗浄方法と異なり、２次コラーゲンスポンジ１２の空隙が潰れることがなく、２次コラーゲンスポンジ１２自体が破砕することもない。また、この従来の
洗浄方法と異なり、手の疲労を伴わないとともに、洗浄効果に個人差がない。
【００３２】
また、載置板１４上に空の函体２８を裏向けて載置し、その空の函体２８の上に２次コラーゲンスポンジ１２の入った函体２８を載置することにより、２次コラーゲンスポンジ１２の入った函体２８の下部に、イオン交換水１６を円滑に流動させ順次排出するための隙間を積極的に設けている。このため、イオン交換水１６の汚濁濃度が上がるのを防止して、洗浄効果を高めることができる。また、函体２８内で流動するイオン交換水１６の流動性を高めることで、２次コラーゲンスポンジ１２の温度上昇を規制して２次コラーゲンスポンジ１２の架橋が進むのを防止できる。
【００３３】
また、本発明者が、本発明の高分子スポンジ洗浄装置１０を用いて２次コラーゲンスポンジ１２の洗浄を現実に行った結果、２次コラーゲンスポンジ１２の空隙が潰れることがなく、２次コラーゲンスポンジ１２自体が破砕することもなく、２次コラーゲンスポンジ１２の洗浄を行うことができた。これは、複数の孔３８を有する函体２８内に２次コラーゲンスポンジ１２を入れた状態で、洗浄手段１８によりイオン交換水１６を函体２８内で流動させることにより、函体２８内で流動するイオン交換水１６の流動性を高めることができた為、パイプ４０からのイオン交換水１６の噴出を弱い圧力で行いながらも２次コラーゲンスポンジ１２の洗浄ができたことによる。また、外周枠２９を有する函体２８に２次コラーゲンスポンジ１２を入れた状態で洗浄を行ったため、２次コラーゲンスポンジ１２の外形を維持しつつ洗浄を行うことができたことによる。なお、本発明の高分子スポンジ洗浄装置１０を用いて２次コラーゲンスポンジ１２の洗浄を現実に行った結果、イオン交換水１６が２次コラーゲンスポンジ１２の上面５０に沿って流れてできるイオン交換水１６の層の厚みは、０．１ｍｍ〜５．０ｍｍであれば、イオン交換水１６が２次コラーゲンスポンジ１２に浸透しやすくて好ましく、特には、０．５ｍｍ〜３．０ｍｍであることが好ましい。
【００３４】
このようにして２次コラーゲンスポンジ１２の洗浄が完了すると、２次コラーゲンスポンジ１２は、急速凍結させられ、更に真空凍結乾燥させられた後、シリコン膜が積層され、最終的コラーゲンスポンジを含む二層性材料が形成される。この二層性材料は人工真皮として利用される。
【００３５】
以上、本発明の高分子スポンジ洗浄装置及び天然高分子スポンジ洗浄の一実施形態について説明したが、本発明は上述の実施形態に限定されない。
【００３６】
例えば、高分子スポンジ洗浄装置１０において、１個の２次コラーゲンスポンジ１２について、１個の洗浄手段１８によって洗浄することに限定されず、図５に示すように、２個の洗浄手段１８によって洗浄してもよい。この場合においても、洗浄手段１８からイオン交換水１６を連続的に噴出して行うため、２次コラーゲンスポンジ１２の空隙が潰れることがなく、２次コラーゲンスポンジ１２自体が破砕することもない。また、手の疲労を伴わないとともに、洗浄効果に個人差が生じない。
【００３７】
また、高分子スポンジ洗浄装置１０において、２次コラーゲンスポンジ１２を入れた函体２８を、載置板１４に裏返して置いた空の函体２８上に載置して使用することに限定されず、図６に示すように、２次コラーゲンスポンジ１２を入れた函体２８を、載置板１４に置いた複数の四角推形状の支持部材３７上に載置して使用してもよい。この場合でも、２次コラーゲンスポンジ１２に浸透したイオン交換水１６が函体２８の孔３６を通って排出される。また、この場合でも、２次コラーゲンスポンジ１２の入った函体２８の下部に、イオン交換水１６を円滑に流動させ順次排出するための隙間を積極的に設けることにより、イオン交換水１６の汚濁濃度が上がるのを防止して洗浄効果を高めることができるとともに、函体２８内で流動するイオン交換水１６の流動性を高めることで、２次コラーゲンスポンジ１２の温度上昇を規制して２次コラーゲンスポンジ１２の架橋が進むのを防止できる。なお、２次コラーゲンスポンジ１２の入った函体２８の下部に隙間を積極的に設けるための支持部材３７の形状は特に限定されない。
【００３８】
また、高分子スポンジ洗浄装置１０において、排出されたイオン交換水１６を再生する再生手段と、再生したイオン交換水１６を函体２８内へ返還する返還手段とを備えてもよい。例えば、図７には、再生手段として再生フィルター５２を備え、返還手段としてポンプ５４を備え、載置板１４の底面に設けた孔５６から排出されたイオン交換水１６をタンク５８に一旦溜めた後に、イオン交換水１６を、再生フィルター５２により再生し、ポンプ５４によりパイプ４０へ返還する場合について示している。この場合、イオン交換水１６を再生しながら２次コラーゲンスポンジ１２の洗浄を行うため、洗浄効果が高まり、架橋が進むのを防止できる。
【００３９】
以上、本発明の高分子スポンジ洗浄装置及び高分子スポンジ洗浄方法の実施形態について図面に基づいて説明したが、本発明は図示した実施形態には限定されない。例えば、高分子スポンジ洗浄装置１０において、函体２８内のイオン交換水１６の温度を管理する温度管理手段を設けてもよい。例えば、主として冷却を目的とするチラーを設けてもよい。温度管理手段によってイオン交換水１６の温度上昇を防止することによって、架橋が進むのを防止できる。また、函体２８は孔３６を全体に有する必要はなく、イオン交換水１６を円滑に流動させ順次排出できれば、底板又は側板のいずれか一方に有してもよい。
【産業上の利用可能性】
【００４０】
本発明は、２次高分子スポンジを容器に入れて手で保持し洗浄液中で揺動する従来の洗浄方法と異なり、２次高分子スポンジの外形が変形することがなく、２次高分子スポンジの空隙が潰れることがなく、２次高分子スポンジ自体が破砕することがなく、手の疲労を伴わずに洗浄効果に個人差がなく、洗浄効果をより高めることができる。このため、高分子スポンジの洗浄のために広く利用できる。
【符号の説明】
【００４１】
１０：高分子スポンジ洗浄装置
１１：枠本体
１２：２次コラーゲンスポンジ（２次天然高分子スポンジ）
１４：載置板
１６：イオン交換水（洗浄液）
１８：洗浄手段
２０：基台
２２、２４：支柱
２６：フレーム
２８：函体
２９：外周枠
３０：上面
３２：取っ手
３４：係合部材
３６：孔
３８：噴出孔
４０：パイプ
５２：再生フィルター（再生手段）
５４：ポンプ（返還手段）
Ｃ：中心線
【図１】
0005837819.tif 000002
【図２】
0005837819.tif 000003
【図３】
0005837819.tif 000004
【図４】
0005837819.tif 000005
【図５】
0005837819.tif 000006
【図６】
0005837819.tif 000007
【図７】
0005837819.tif 000008